(57)【要約】【課題】二次元バーコードのパターン数に比べてはるかに多い大量の情報を表示することができるバーコード表示装置を提供する。【解決手段】複数行及び複数列に配列された複数の表示要素を有し、外部から供給されたコードパターンデータに対応する二次元バーコードを前記複数の表示要素により表示する表示素子２と、１つの情報を表示するための１情報表示時間を複数分割した複数の分割時間毎に、前記１つの情報を表わす複数パターンの二次元バーコードにそれぞれ対応した複数のコードパターンデータを順次表示素子１に供給し、前記１情報表示時間の間に、複数パターンの二次元バーコードからなる１つの情報を前記表示素子２に表示させる表示制御手段１０とを備えた。【選択図】図１
2005107576.tif 000002
【特許請求の範囲】
【請求項１】
複数行及び複数列に配列された複数の表示要素を有し、外部から供給されたコードパターンデータに対応する二次元バーコードを前記複数の表示要素により表示する表示素子と、１つの情報を表示するための１情報表示時間を複数分割した複数の分割時間毎に、前記１つの情報を表わす複数パターンの二次元バーコードにそれぞれ対応した複数のコードパターンデータを順次前記表示素子に供給し、前記１情報表示時間の間に、前記複数パターンの二次元バーコードからなる前記１つの情報を前記表示素子に表示させる表示制御手段とを備えることを特徴するバーコード表示装置。
【請求項２】
表示素子は階調表示機能を有しており、表示制御手段は、白と黒及びその間の少なくとも１つの階調を含むコードパターンデータを前記表示素子に供給することを特徴とする請求項１に記載のバーコード表示装置。
【請求項３】
表示制御手段は、表示素子に複数パターンの二次元バーコードからなる１つの情報の表示を予め定めた回数行なわせる毎に、前記表示素子に供給する複数のコードパターンデータの少なくとも１つを、他のパターンの二次元バーコードに対応したデータに切換えることを特徴とする請求項１または２に記載のバーコード表示装置。
【請求項４】
表示制御手段は、予め定めた時間毎に、表示素子に供給する複数のコードパターンデータの少なくとも１つを、他のパターンの二次元バーコードに対応したデータに切換えることを特徴とする請求項１または２に記載のバーコード表示装置。
【発明の詳細な説明】
【技術分野】
【０００１】
この発明は、二次元バーコードを表示するバーコード表示装置に関する。
【背景技術】
【０００２】
バーコードには、一方向に配列する複数のコード要素により表わされる一次元バーコードと、行方向及び列方向に配列する複数のコード要素により表わされる二次元バーコードとがあり、いずれのバーコードも印刷により表示されている（特許文献１参照）。
【０００３】
前記二次元バーコードは、一次元バーコードに比べて表示情報量が多く、大量の情報の認証に有利である。
【特許文献１】特開２０００―１８２０８６号公報
【発明の開示】
【発明が解決しようとする課題】
【０００４】
しかし、印刷された二次元バーコードにより表示できる情報は、行方向及び列方向に配列するコード要素の数に対応したパターン数の情報であり、そのパターン数を越える量の情報を表示することはできない。
【０００５】
この発明は、二次元バーコードのパターン数に比べてはるかに多い大量の情報を表示することができるバーコード表示装置を提供することを目的としたものである。
【課題を解決するための手段】
【０００６】
この発明のバーコード表示装置は、複数行及び複数列に配列された複数の表示要素を有し、外部から供給されたコードパターンデータに対応する二次元バーコードを前記複数の表示要素により表示する表示素子と、１つの情報を表示するための１情報表示時間を複数分割した複数の分割時間毎に、前記１つの情報を表わす複数パターンの二次元バーコードにそれぞれ対応した複数のコードパターンデータを順次前記表示素子に供給し、前記１情報表示時間の間に、前記複数パターンの二次元バーコードからなる前記１つの情報を前記表示素子に表示させる表示制御手段とを備えることを特徴する。
【０００７】
この発明のバーコード表示装置において、前記表示素子は階調表示機能を有しており、前記表示制御手段は、白と黒及びその間の少なくとも１つの階調を含むコードパターンデータを前記表示素子に供給するのが好ましい。
【０００８】
また、前記表示制御手段は、前記表示素子に前記複数パターンの二次元バーコードからなる１つの情報の表示を予め定めた回数行なわせる毎に、前記表示素子に供給する複数のコードパターンデータの少なくとも１つを、他のパターンの二次元バーコードに対応したデータに切換えるか、あるいは、予め定めた時間毎に、前記表示素子に供給する複数のコードパターンデータの少なくとも１つを、他のパターンの二次元バーコードに対応したデータに切換えるのが好ましい。
【発明の効果】
【０００９】
この発明のバーコード表示装置は、前記表示制御手段により、１つの情報を表示するための１情報表示時間を複数分割した複数の分割時間毎に、前記１つの情報を表わす複数パターンの二次元バーコードにそれぞれ対応した複数のコードパターンデータを順次前記表示素子に供給し、前記１情報表示時間の間に、前記複数パターンの二次元バーコードからなる前記１つの情報を前記表示素子に表示させるため、前記表示素子により表示する二次元バーコードのパターン数に比べてはるかに多い大量の情報を表示することができる。
【００１０】
このバーコード表示装置において、前記表示素子は階調表示機能を有しており、前記表示制御手段は、白と黒及びその間の少なくとも１つの階調を含むコードパターンデータを前記表示素子に供給するのが好ましく、このようにすることにより、前記分割時間毎に表示する各二次元バーコードのパターン数を、前記表示素子の表示要素数、つまり前記表示素子により表示する二次元バーコードのコード要素数に対応するパターン数よりも多くし、さらに大量の情報を表示することができる。
【００１１】
また、前記表示制御手段は、前記表示素子に前記複数パターンの二次元バーコードからなる１つの情報の表示を予め定めた回数行なわせる毎に、前記表示素子に供給する複数のコードパターンデータの少なくとも１つを、他のパターンの二次元バーコードに対応したデータに切換えるか、あるいは、予め定めた時間毎に、前記表示素子に供給する複数のコードパターンデータの少なくとも１つを、他のパターンの二次元バーコードに対応したデータに切換えるのが好ましく、このようにすることにより、１つの情報を表わす複数パターンの二次元バーコードの組合わせを、予め定めた認証情報表示回数毎または予め定めた時間毎に変更し、高いセキュリティ性を得ることができる。
【発明を実施するための最良の形態】
【００１２】
以下、この発明の一実施例を図面を参照して説明する。
【００１３】
図１はバーコード認証システムの概略図であり、このバーコード認証システムは、バーコード表示装置１と、バーコード認証装置１１とにより構成されている。
【００１４】
前記バーコード表示装置１は、複数行及び複数列に配列する複数の表示要素２ａを有し、外部から供給されたコードパターンデータに対応する二次元バーコードを前記複数の表示要素２ａにより表示する表示素子２と、１つの情報を表示するための１情報表示時間を複数分割した複数の分割時間毎に、前記１つの情報を表わす複数パターンの二次元バーコードにそれぞれ対応した複数のコードパターンデータを順次前記表示素子２に供給し、前記１情報表示時間の間に、前記複数パターンの二次元バーコードからなる前記１つの情報を前記表示素子１に表示させる表示制御手段１０とを備えている。
【００１５】
図２は前記バーコード表示装置１の表示素子２の斜視図であり、この表示素子２は、例えば縦横の幅がそれぞれ２〜５ｍｍの正方形状の表示要素２ａが５〜１０μｍ程度の極小さい間隔で８行×８列に配列形成された表示部を有している。
【００１６】
この表示素子２は、例えば透過型の単純マトリックス液晶表示素子であり、その内部構造は図示しないが、枠状のシール材５を介して接合され、前記シール材５により囲まれた領域に設けられた液晶層を挟んで対向する表示面側とその反対面である後面側の一対の透明基板３，４の対向面の一方に列方向に沿う８本の透明な信号電極が互いに平行に形成され、前記対向面の他方に行方向に沿う８本の透明な走査電極が互いに平行に形成され、これらの電極の互いに対向する領域により８行×８列に配列する表示要素２ａが形成されている。
【００１７】
なお、この液晶表示素子２は、例えば、前記液晶層の液晶分子を一対の基板３，４間において実質的に９０°の捩れ角でツイスト配向させたＴＮ（ツイステッドネマティック）型、あるいは、前記液晶分子を一方の方向に分子長軸を揃えてホモジニアス配向させた非ツイストのホモジニアス配向型のものであり、図では省略しているが、前記一対の基板３，４の外面にそれぞれ一対の偏光板が、それぞれの透過軸を予め定めた方向に向けて、ノーマリーホワイトモードまたはノーマリーブラックモードの液晶表示素子を構成するように配置されている。
【００１８】
また、前記一対の基板３，４のいずれか一方、例えば列方向に沿う信号電極が形成された基板３は、前記列方向の一端縁に、他方の基板４の外方に張出すドライバ搭載部３ａを有している。
【００１９】
このドライバ搭載部３ａには、前記複数の信号電極からそれぞれ導出された信号電極リード配線６と、前記シール材５による基板接合部において図示しないクロス接続部を介して他方の基板４の前記複数の走査電極とそれぞれ接続された走査電極リード配線７と、複数の外部回路接続配線８とが形成されており、これらの配線６，７，８に、前記ドライバ搭載部３ａに搭載されたＬＳＩからなる表示ドライバ９が接続されている。
【００２０】
この液晶表示素子２は、外部の表示制御手段１０から８行×８列の６４ビットのコードパターンデータを前記表示ドライバ９に供給され、この表示ドライバ９により各表示要素２ａの電極間への印加電界を制御して前記コードパターンデータに対応する二次元バーコードを表示するものであり、液晶分子が初期配向状態にある無電界の表示要素２ａと、液晶分子を基板３，４面に対して立ち上がり配向させる電界が印加された表示要素２ａとのうち、一方の表示要素２ａにより白のコード要素を表示し、他方の表示要素２ａにより黒のコード要素を表示する。
【００２１】
一方、前記表示制御手段１０は、その具体的な構成は図示しないが、前記液晶表示素子２の８行×８列の表示要素２ａにより表示される白と黒のコード要素の配列パターンによって表わされる６４通りのコードパターンデータが予め登録されたパターンデータ記憶部と、この記憶部に登録された６４通りのコードパターンデータの内から、１つの情報を表わす複数パターンの二次元バーコードにそれぞれ対応した複数のコードパターンデータを選択し、その複数のコードパターンデータを、前記１つの情報を表示するための１情報表示時間を複数分割した複数の分割時間毎に順次前記液晶表示素子２に供給するデータ選択部とからなっており、前記１情報表示時間の間に、前記複数パターンの二次元バーコードからなる前記１つの情報を前記液晶表示素子２に表示させる。
【００２２】
このバーコード表示装置１は、前記表示制御手段１０により、１つの情報を表示するための１情報表示時間を複数分割した複数の分割時間毎に、前記１つの情報を表わす複数パターンの二次元バーコードにそれぞれ対応した複数のコードパターンデータを順次前記液晶表示素子２に供給し、前記１情報表示時間の間に、前記複数パターンの二次元バーコードからなる前記１つの情報を前記液晶表示素子２に表示させるため、前記液晶表示素子２により表示する二次元バーコードのパターン数に比べてはるかに多い大量の情報を表示することができる。
【００２３】
図３は前記バーコード表示装置１による情報表示例を示す模式図であり、ここでは、１つの情報を表示するための１情報表示時間Ｔを５分割し、その各分割時間ｔ１，ｔ２，ｔ３，ｔ４，ｔ５毎に、前記１つの情報を表わす５つのパターンの二次元バーコードにそれぞれ対応した５つのコードパターンデータを順次前記液晶表示素子２に供給し、前記１情報表示時間Ｔの間に、前記５つのパターンの二次元バーコードＡ１，Ａ２，Ａ３，Ａ４，Ａ５からなる１つの情報を前記液晶表示素子２に表示させる例を示している。
【００２４】
この情報表示例は、５つのパターンの二次元バーコードＡ１，Ａ２，Ａ３，Ａ４，Ａ５からなる１つの情報を前記液晶表示素子２に表示させるため、前記液晶表示素子２により表示する二次元バーコードのパターン数の５倍のパターン数の情報を表示することができる。
【００２５】
この実施例では、上述したように、前記液晶表示素子２が、８行×８列に配列形成された表示要素２ａからなる表示部を有しているため、この液晶表示素子２に前記５つのパターンの二次元バーコードＡ１，Ａ２，Ａ３，Ａ４，Ａ５を表示させることにより、前記液晶表示素子２の表示要素数（６４要素）の５倍である３２０ビットの情報を表示することができる。
【００２６】
なお、前記１情報表示時間Ｔの間に前記液晶表示素子２に表示させる二次元バーコードの数は、２つ以上であれば他の数でもよく、例えば１情報表示時間Ｔの間に前記液晶表示素子２に２つのパターンの二次元バーコードを表示させる場合は、前記液晶表示素子２により表示される二次元バーコードのパターン数の２倍のパターン数の情報、つまり１２８ビットの情報を表示することができる。
【００２７】
次に、図１に示したバーコード認証システムのバーコード認証装置１１について説明すると、このバーコード認証装置１１は、手動または自動移送手段により供給された前記バーコード表示装置１の表示情報を読取って認証情報を判定するものであり、前記バーコード表示装置１の液晶表示素子２が表示する複数パターンの二次元バーコードを順次読取るバーコード読取手段１２と、このバーコード読取手段１２により読取った前記複数パターンの二次元バーコードに対応する認証情報を判定する認証情報判定手段１５とからなっている。
【００２８】
前記バーコード読取手段１２は、前記バーコード表示装置１の液晶表示素子２をその一方の面側から照明する光源１３と、前記液晶表示素子２の複数の表示要素数２ａと同数の光電変換素子（図示せず）が前記表示要素２ａと同じ配列パターンで行方向及び列方向に配列形成されたバーコード読取素子１４とからなっており、この光源１３とバーコード読取素子１４は、前記バーコード表示装置１の供給位置を挟んで、その液晶表示素子２の後面と表示面とにそれぞれ対向するように配置されている。
【００２９】
また、前記認証情報判定手段１５は、その具体的な構成は図示しないが、前記バーコード表示装置１の表示制御手段１０に登録された前記６４通りのコードパターンデータにそれぞれ対応する６４通りの認証データが登録され、前記バーコード読取手段１２により読取った複数パターンのバーコードに対応する複数の認証データから、予め定められた判定条件に基いて、前記複数パターンの二次元バーコードに対応する認証情報を判定する認証回路からなっている。
【００３０】
図４は前記バーコード認証システムの利用例を示しており、ここでは、家の住人や機密資料室等への入室権を有する利用者にキーカード１６を所持させ、そのキーカード１６をキーカード認証装置１８により認証してドアロックを解除するドアロック解除システムを示している。
【００３１】
前記キーカード１６は、予め定めたサイズの矩形状薄型ケースからなり、その前面及び後面に前記バーコード表示装置１の液晶表示素子２の表示部に対応する表示窓１７及び採光窓（図示せず）が設けられたカード本体内に、前記バーコード表示装置１を、その液晶表示素子２の後面と表示面を前記採光窓と表示窓１７にそれぞれ対向させて設けたものである。
【００３２】
なお、図では省略しているが、このキーカード１６は、その使用時に前記表示窓１７を開放する位置にスライドされ、不使用時に前記表示窓１７を閉鎖する位置にスライドされて前記液晶表示素子２の表示面を保護する表示面カバーと、前記表示面カバーの開閉に連動してＯＮ／ＯＦＦされる電源スイッチとを備えている。
【００３３】
そして、前記バーコード表示装置１の表示制御手段１０は、前記コード表示スイッチのＯＮ（表示面カバーの開放）により、前記パターンデータ記憶部に登録された前記６４通りのコードパターンデータの内から、キーカード所持者毎に設定された１つの情報（以下、個人情報と言う）を表わす複数パターン、例えば５パターンの二次元バーコードにそれぞれ対応した５つのコードパターンデータを予め設定された選択条件に基いて選択し、前記個人情報を表示するための１情報表示時間を５分割した各割時間毎に、選択した５つのコードパターンデータを順次前記液晶表示素子２に供給する表示制御を開始し、その表示制御を、前記電源スイッチがＯＦＦ（表示面カバーが閉鎖）されるまで繰返すように構成されている。
【００３４】
すなわち、前記キーカード１６は、前記電源スイッチのＯＮによって前記表示制御手段１０から前記５つのコードパターンデータを順次前記液晶表示素子２に供給し、その５パターンの二次元バーコードからなる個人情報を前記液晶表示素子２に繰返し表示させるものであり、この個人情報の表示を前記電源スイッチがＯＦＦされるまで継続する。
【００３５】
一方、前記キーカード認証装置１８は、キーカード挿入部１９を有するケース内に、前記バーコード認証装置１１を、前記バーコード読取手段１２を構成する光源１３とバーコード読取素子１４とを、前記キーカード挿入部１９に挿入されたキーカード１６の採光窓と表示窓１７に対向するように配置して設けたものであり、前記バーコード認証装置１１の認証情報判定手段１５は、挿入されたキーカード１６の表示情報、つまり前記バーコード読取手段１２により読取った前記５パターンのバーコードにそれぞれ対応する５通りの認証データから、予め定められた判定条件に基いて、前記５パターンの二次元バーコードに対応する認証情報を判定するように構成されている。
【００３６】
このドアロック解除システムによるドアロックの解除を説明すると、前記キーカード１６は、上述した図示しない表示面カバーの開放により電源スイッチをＯＮされ、前記液晶表示素子２に前記５パターンの二次元バーコードを順次繰返し表示させた状態で前記キーカード認証装置１８のキーカード挿入部１９に挿入される。
【００３７】
前記キーカード認証装置１８は、前記キーカード挿入部１９へのキーカード１６の挿入を検知してバーコード読取りを開始し、前記キーカード１６の液晶表示素子２が順次繰返し表示している前記５パターンの二次元バーコードを読取った後に、その５パターンの二次元バーコードに対応する認証情報を判定し、その判定した認証情報が予め登録されたキーカード所持者情報と一致したときに、図示しない自動ドアロック装置にロック解除信号を出力する。
【００３８】
なお、前記キーカード認証装置１８のキーカード挿入部１９に挿入されたキーカード１６は、自動ドアロック装置によるドアロックの解除を待って前記キーカード挿入部１９から引抜かれる。
【００３９】
このドアロック解除システムにおいて、前記キーカード１６の１情報表示時間、つまり前記５パターンの二次元バーコードからなる個人情報の表示時間は、１秒以下、好ましくは１／１０秒以下に設定するのが好ましく、このようにすることにより、前記キーカード認証装置１８による個人情報の認証時間を極く短くし、速やかにドアロックを解除させることができる。
【００４０】
このように、このドアロック解除システムは、前記バーコード表示装置１を備えたキーカード１６の表示を前記バーコード認証装置１１を備えたキーカード認証装置１８により認証してドアロックを解除するものであり、前記バーコード表示装置１は、前記液晶表示素子２により表示する二次元バーコードのパターン数に比べてはるかに多い大量の情報を表示するため、偽造キーカードの製作は困難であり、したがって充分なセキュリティ性をもっている。
【００４１】
なお、前記バーコード認証システムは、図４に示したドアロック解除システムに限らず、例えば商取引情報等の各種情報の認証に広く利用することができる。
【００４２】
また、上記実施例のバーコード表示装置１は、二次元バーコードを液晶表示素子２により表示するものであり、この液晶表示素子２は、電極間への印加電界に応じて各表示要素２ａの表示の明るさを複数階調に制御する階調表示機能を有している。
【００４３】
したがって、前記二次元バーコードを液晶表示素子２により表示する場合は、前記バーコード表示装置１の表示制御手段１０を、白と黒及びその間の少なくとも１つの階調を含むコードパターンデータを前記表示素子に供給するように構成するのが好ましく、このようにすることにより、１つの情報を表示するための１情報表示時間を複数分割した複数の分割時間毎に表示する各二次元バーコードのパターン数を、前記液晶表示素子２の表示要素数、つまり前記液晶表示素子２により表示する二次元バーコードのコード要素数に対応するパターン数よりも多くし、さらに大量の情報を表示することができる。
【００４４】
図５は前記バーコード表示装置１による二次元バーコードの階調表示例を示しており、この表示例は、８行×８列の表示要素２ａを有する液晶表示素子２に、０階調（黒）〜７階調（白）の計８階調のコード要素ａ０〜ａ７からなる二次元バーコードを表示させた例である。
【００４５】
この表示例では、前記液晶表示素子２にその表示要素数（６４要素）の８倍である５１２パターンの二次元バーコードを表示させることができるため、１情報表示時間の間に５パターンの二次元バーコードからなる１つの情報を表示する場合は、前記５１２パターンの５倍の情報、つまり２５６０ビットの情報を表示することができる。
【００４６】
このように前記液晶表示素子２に二次元バーコードを階調表示させる場合は、前記バーコード表示装置１の表示制御手段１０に、階調表示による二次元バーコードのパターン数に応じた数のコードパターンデータを登録し、そのコードパターンデータの内から、１つの情報を表わす複数パターンの二次元バーコードにそれぞれ対応した複数のコードパターンデータを選択して前記液晶表示素子２に供給するとともに、前記バーコード認証装置１１の認証情報判定手段１５を、前記二次元バーコードのパターン数に対応する認証データを登録し、前記バーコード読取手段１２により読取った複数パターンのバーコードに対応する複数の認証データから、予め定められた判定条件に基いて、前記複数パターンの二次元バーコードに対応する認証情報を判定するように構成すればよい。
【００４７】
また、前記バーコード表示装置１を上述したドアロック解除システム等のバーコード認証システムに利用する場合は、前記表示制御手段１０を、前記液晶表示素子２に複数パターンの二次元バーコードからなる１つの情報の表示を予め定めた回数行なわせる毎（例えば図４に示したドアロック解除システムにおいてキーカード１６の電源スイッチがＯＮまたはＯＦＦされる毎）に、前記液晶表示素子２に供給する複数のコードパターンデータの少なくとも１つを、他のパターンの二次元バーコードに対応したデータに切換えるように構成するか、あるいは、予め定めた時間毎（例えば１日毎）に、前記液晶表示素子２に供給する複数のコードパターンデータの少なくとも１つを、他のパターンの二次元バーコードに対応したデータに切換えるようにするのが好ましく、このようにすることにより、１つの情報を表わす複数パターンの二次元バーコードの組合わせを、予め定めた認証情報表示回数毎または予め定めた時間毎に変更し、高いセキュリティ性を得ることができる。
【００４８】
このように１つの情報を表わす複数パターンの二次元バーコードの組合わせを、予め定めた認証情報表示回数毎または予め定めた時間毎に変更する場合は、前記バーコード認証装置１１の認証情報判定手段１５による認証情報の判定条件を、前記二次元バーコードの組合わせ変更時期に対応させて変更すればよく、このようにすることにより、前記バーコード表示装置１の表示情報を正しく判定することができる。
【００４９】
なお、上記実施例のバーコード表示装置１は透過型液晶表示素子２を備えたものであるが、二次元バーコードを表示する表示素子は、後面側に反射板を備えた反射型液晶表示素子でもよく、その場合は、バーコード認証装置１１のバーコード読取手段１２を構成する光源１３とバーコード読取素子１４とを、前記反射型液晶表示素子の表示面に対向するように配置すればよい。
【００５０】
また、前記表示素子は、前記単純マトリックス型の液晶表示素子２に限らずアクティブマトリックス型の液晶表示素子でもよい。
【００５１】
さらに、前記表示素子は、二次元バーコードの表示要素よりも小さい面積の複数の画素を行方向及び列方向に配列形成したドットマトリックス液晶表示素子でもよく、その場合は、複数行及び複数列に配列する複数のバーコード表示要素をそれぞれ複数の画素からなる画素群により形成し、これらの画素群の電極間への印加電界を制御することにより二次元バーコードを表示すればよい。
【００５２】
また、前記ドットマトリックス液晶表示素子は、複数の画素にそれぞれ対応する複数の色、例えば赤、緑、青の３色のカラーフィルタを備えたカラー表示素子でもよく、その場合は、前記複数のバーコード表示要素をそれぞれ、赤、緑、青の各色の画素を略同数ずつ含む画素群により形成し、その画素群の全ての画素の電極間に明表示電界を印加することにより白のコード要素を表示し、前記画素群の全ての画素の電極間に暗表示電界を印加することにより黒のコード要素を表示すればよい。
【００５３】
さらにまた、前記ドットマトリックス液晶表示素子は、前記複数の画素が８０〜１２０μｍ程度のピッチで行方向及び列方向に配列したものでもよく、このドットマトリックス液晶表示素子を用いることにより、前記バーコード表示装置１に、二次元バーコード表示だけでなく、例えばテレビジョン画像等の画像表示も行なわせることができる。
【００５４】
また、前記表示素子は、後面側に面光源を備えた液晶表示素子や、エレクトロルミネッセンス表示素子等の自発光型表示素子でもよく、その場合は、前記バーコード認証装置１１のバーコード読取手段１２はバーコード読取素子１４だけでよい。
【００５５】
さらに、前記バーコード表示装置１は、例えば携帯電話機や携帯端末機等の表示部を有する小型電子機器に組込んでもよく、その場合は、小型電子機器の表示素子を利用して二次元バーコードを表示させることができる。
【００５６】
なお、このように前記バーコード表示装置１を小型電子機器に組込む場合は、前記バーコード認証装置１１のバーコード読取手段１２を、その前方にかざされた前記小型電子機器の表示部の表示を読取るように構成すればよい。
【図面の簡単な説明】
【００５７】
【図１】バーコード認証システムの概略図。
【図２】前記バーコード認証システムのバーコード表示装置に用いた表示素子の斜視図。
【図３】前記バーコード表示装置による情報表示例を示す模式図。
【図４】前記バーコード認証システムの利用例を示す図。
【図５】前記バーコード表示装置１による二次元バーコードの階調表示例を示す図。
【符号の説明】
【００５８】
１…バーコード表示装置、２…液晶表示素子、２ａ…表示要素、１０…表示制御手段、１１…バーコード認証装置、１２…バーコード読取手段、１５…認証情報判定手段。
【図１】
2005107576.tif 000003
【図２】
2005107576.tif 000004
【図３】
2005107576.tif 000005
【図４】
2005107576.tif 000006
【図５】
2005107576.tif 000007